(57)【要約】      （修正有）【課題】着座者が着座した際に大腿部を大きく広げて大腿部内方部に負担を強いることなく、かつ着座時の臀部の前後移動をスムースにでき、また前傾姿勢などをする際には大腿部前方に負荷が掛からないようにするスツールを提供する。【解決手段】移動自在なスツールにおいて、シートを昇降するための昇降杆に基板４が設けられ、該基板４に対して傾動自在に主シート９が設けられ、前記基板４に取り付けられ、かつ該主シート９前方から両側方部にわたる周縁部の間に隙間を設けて取り付けられる翼型形状を有する補助シート１４を設けた。【選択図】図２
0003165631.tif 000002
【実用新案登録請求の範囲】
【請求項１】
昇降杆に設けられる基板と、該基板に対して傾動自在に設けられる主シートと、前記基板に取り付けられ、かつ該主シート前方から両側方部にわたる周縁部の間に隙間を設けて取り付けられる翼型形状を有する補助シートを設けたことを特徴とするスツール。
【請求項２】
前記翼型形状を有する補助シートが該主シートの中間位置より前方に位置することを特徴とする請求項１記載のスツール。
【請求項３】
該基板に設けられるブラケットの雌ネジ部に螺合し、先端部にハンドルを有する回動軸と、該回動軸の他端部には主シートが設けられ、前記ハンドルを回すことにより、主シートが前記基板に設けられる主シート回転支軸を中心として前後方向に傾動するように設けられることを特徴とする請求項１記載のスツール。
【考案の詳細な説明】
【技術分野】
【０００１】
本考案は、医療での診療その他の医療施術また理美容院等での洗髪や頭髪マッサージ等の施術の際に着座して使用されるスツールの構造に関する。
【背景技術】
【０００２】
本考案のスツールは医療での診療の際にドクターやアシスタントが着座する際に使用するもので、特に通常の姿勢での着座のみならずより患者へ近づいて診療や医療施術を行なう際に使用するものである。
また理美容院等での被施術者への洗髪や頭髪マッサージ等の施術の際により被施術者に近接して施術が行なえるように、施術者が前傾などの自由な姿勢で安楽に施術が行なえるように着座できるスツールであります。
【０００３】
従来のスツールとしては、例えば、特表２００２−５２００７７号公報に開示されている発明がある。この発明では、着座者が着座する部位である丸い中央部分（２）と、着座者の股間および太腿の筋肉を支持するための側方部分（３）とで構成され、該側方部分（３）は中央部分（２）から所定の角度で少なくとも一部下方に湾曲している側方部分（３）を備え、中央部分（２）と側方部分（３）とが一体的に形成されるシート（１）が開示され、また前記側方部分（３）は、互いに関して直角な前縁（４）を有し、前記前縁の間に空隙（５）が形成されたサドル型椅子が開示されている。
【０００４】
さらにこのサドル型椅子においては、シート（１）の前縁（４）の中央縁部分は、当該中央縁部の間に後方に延びている空隙を形成するためにシートの中央部分に向かって所定の角度で後方に曲がっている。
また椅子のシート部分は、座る人の太腿が角度が４５度下方になり、所定の角度で前方になるように案内し、これは股間をまっすぐに伸ばした位置で保持し、背中の脊柱の基部に重要な中空部分をつくる上での補助となり、シートに座った人は、背中の支持がなくともバランスよく、直立してまっすぐに座ることができる。
【０００５】
さらに側方部分は、太腿の一種のトラフ形状で腿を支持し、側方部分は、それらが腿の輪郭に適合するように形成される。このサドル型椅子は、シートの骨の支持点から腿の方向に下方に側方部分の長さに沿って腿を支持する。
【先行技術文献】
【特許文献】
【０００６】
【特許文献１】特表２００２−５２００７７号公報
【考案の概要】
【考案が解決しようとする課題】
【０００７】
ところで、特許文献１にあるような従来のスツールでは、着座者が着座するシート（１）部の中央部分（２）と側方部分（３）とが一体的に形成され、かつシート（１）部分の前方部は、所定の角度で上方に案内され、これにより大腿部内方部の圧迫を軽減している旨記載されているが、中央部分（２）と側方部分（３）とが一体的にかつ固定されて形成されているため、着座者が前傾姿勢を行なう場合、大腿部の前方部にかなりの負担を強いられる。
【０００８】
また側方部分（３）が中央部分（１）の側部から略４５゜の角度で側方に広がった構成となっており、着座者が着座した際にかなり大腿部を広げなければならない。
この状態での前傾姿勢は着座者の大腿部に対してさらに負担を強いられることになる。
【０００９】
本考案は前記した問題点を解決せんとするもので、その目的とするところは、着座した際に大腿部を大きく広げて大腿部内方部に負担を強いることなく、かつ着座時の臀部の前後移動をスムースにでき、また前傾姿勢などをする際には、大腿部前方に負荷が掛からないようにするスツールを提供せんとするにある。
【課題を解決するための手段】
【００１０】
本考案のスツールは、前記した目的を達成せんとするもので、請求項１の手段は、昇降杆に設けられる基板と、該基板に対して傾動自在に設けられる主シートと、前記基板に取り付けられ、かつ該主シート前方から両側方部にわたる周縁部の間に隙間を設けて取り付けられる翼型形状を有する補助シートを設けたことを特徴とする。
【００１１】
請求項２の手段は、前記翼型形状を有する補助シートが該主シートの中間位置より前方に位置することを特徴とする。
【００１２】
請求項３の手段は、該基板に設けられるブラケットの雌ネジ部に螺合し、先端部にハンドルを有する回動軸と、該回動軸の他端部には主シートが設けられ、前記ハンドルを回すことにより、主シートが前記基板に設けられる主シート回転支軸を中心として前後方向に傾動するように設けられることを特徴とする。
【考案の効果】
【００１３】
このように本考案のスツールは、着座者が着座する主シートと適宜空間をもたせて前方から両側方部にかけて補助シートを設けることによって主シートの傾動動作をスムースに行わせ、かつ主シートの両側部に設けられる補助シート翼部の中央部に凹み部をもたせているために着座者を確実に保持し、主シートの傾動動作に伴う前傾姿勢の際に大腿部に無理な負荷をかけることなく、また主シートのいずれの傾動角度においても、着座者は安楽な着座状態で診療や施術が行なえる。
【００１４】
また前記補助シートは主シートと適宜空間をもたせ前方から両側方部にかけて設けられているため、大腿部を大きく広げることもなく着座者に対して苦痛を強いることはない。
さらに着座者は足を補助シートに載置して前方に位置させることができるため、主シートの傾動動作を行なわせる際も、スツール前方の脚部に足をかけて臀部を浮かせて容易に傾動動作を行なわせることができ、着座者に対して負荷なく診療や施術作業が行える。
【図面の簡単な説明】
【００１５】
【図１】本考案に関わるスツールの全体図である。
【図２】本考案に関わるスツール上部の断面図である。
【図３】本考案に関わるスツール上部のＢ−Ｂ断面図である。
【図４】本考案に関わるスツールの主シートの通常の状態の側面図である。
【図５】本考案に関わるスツールの主シートが前傾した状態の側面図である。
【図６】本考案に関わるスツールの上面図である。
【考案を実施するための形態】
【００１６】
以下、本考案に係るスツールの実施例を図面とともに説明する。
図１は本考案に関わるスツールの全体図、図２は本考案に関わるスツール上部の断面図、図３はスツールの主シートのＢ−Ｂ断面図、図４は本考案に関わるスツールの主シートの通常の状態の側面図、図５は本考案に関わるスツールの主シートが前傾した状態の側面図、図６は本考案に関わるスツールの上面図である。
【００１７】
本考案の実施例について説明すると、１は脚であり最下部にキャスターが設けられ移動自在になっている。２は昇降用操作リング、３はガスシリンダーや油圧シリンダーなどのシリンダーであり、本実施例ではガスシリンダーで説明すると、３ａがラム、３ｂが昇降杆で構成されている。
該シリンダー３は前記昇降用操作リング２を押すとロックが解除され、放すとロックされるようになっている。
【００１８】
４は前記昇降杆３ｂの先端部に取り付けられる基板であり、４ａは基板４に設けられる支持板、４ｂは突起片、４ｃは基板の先端部に設けられる補助シート取付部である。
５は回動軸であり、５ａは回動軸５の下方部に設けられる雄ネジ部である。
【００１９】
６はブラケットであり、６ａは該ブラケット６の内側に貫通する孔部に設けられる雌ネジ部であり、前記回転軸５に設けられる雄ネジ部５ａに螺合するようにして設けられている。
これにより該回転軸５は基板４に対して上下方向に移動するようになっている。
６ｂおよび６ｃは前記雌ネジ部６ａに対して略垂直にして前記ブラケット６の外側に設けられる回転軸孔である。
【００２０】
７ａおよび７ｂは前記基板４に設けられ支持板４ａに取り付けられる回転軸ピンであり、支持板４ａに取り付けられる前記回転軸孔６ｂおよび６ｃに軸支されるようになっており、前記回転軸５は基板４に対して回動自在に設けられている。
従って、ブラケット６は前記回動軸５に対して螺合して取り付けられ、該ブラケット６の外側で、回動軸ピン７ａおよび７ｂで前後方向に回動自在になっている。
【００２１】
８は後述する主シート９を前後方向に傾動動作させる回転軸５を上下方向に移動させるためのハンドルであり、回動軸５に固着させている。
９は主シートであり、前記したごとく、該ハンドル８を時計方向に回動させることにより回転軸５を上方へ押し上げ、主シート９に設けられる基板１０を押し上げると主シート９の後方部を押し上げるようになっている。
またハンドル８を時計と反対方向に回転させると回動軸５は収縮し主シート９に設けられる基板１０を引っ張り主シート９の後方部が下がるようになる。
【００２２】
１０は前記主シート９に設けられる主シート取付板であり、１０ａおよび１０ｂは前記主シート取付板１０に設けられる支板である。
１１は回動軸５の先端部に設けられるブラケットである。
該ブラケット１１は前記回動軸５先端部に挿嵌して取り付けられおり、後述する係止用ネジ１５で回動軸５が前記ブラケット１１から抜けないように固定されている。
１１ａおよび１１ｂは該ブラケット１１の外側部に設けられる回転軸孔である。
【００２３】
また１２ａおよび１２ｂは前記回転軸孔１１ａおよび１１ｂに軸支される回転軸ピンであり、ブラケット１１が取り付けられる回動軸５を前後方向に回動自在としている。
１３は、前記主シート取付板１０に設けられる主シート回転支軸であり、前記基板４に設けられる突起片４ｂと前記主シート９の主シート取付板１０とが軸支され、主シート９は該主シート回転支軸１３を中心として回動するように構成されている。
【００２４】
１４は補助シートであり、１４ａは主シート９の両側方部の周縁に適宜空間をもたせて設けられる補助シート翼部であり、１４ｂは前記主シート９の前方に位置して、かつ主シート９の前方に空間部を持たせて設けられる補助シート前部である。
補助シート１４は前記補助シート翼部１４ａと補助シート前部１４ｂとが一体的に形成されており、補助シート前部１４ｂと前記基板４の先端部の補助シート取付部４ｃにネジ等（図示せず）で取り付けられている。
【００２５】
なお補助シート翼部１４ａは該主シート９の中間位置より前方に位置して着座者の大腿部（脚部）が前方、すなわち診療または施術する方向に位置するように設けられている。
さらに補助シート翼部１４ａの中央部に凹み部を有しており、着座者の大腿部を前方向また後方向へずれないように構成されている。
１５は前記回動軸５が前記ブラケット１１から抜けないように設けられる係止用ネジである。
【００２６】
以上のことから、該ブラケット６の外側で回動軸ピン７ａおよび７ｂで前後方向に回動自在に設けられるブラケット６の雌ネジ部６ａと支持軸５に設けられる雄ネジ部５ａとが螺合しており、前記回動軸５に設けられるハンドル８を回すと、支持軸５は前記主シート９が設けられる主シート取付板１０の支板１０ａ、１０ｂに設けられるブラケット１１を上方へ押し上げると主シート９は主シート９の回転支軸１３を中心として後方部が押し上げられるようになっている。
【００２７】
次に本考案によるスツールの主シート９の動作を図３および図４で説明すると、通常の主シート９の状態は図３に示すように、主シート９の前端部と後端部とは略同じ高さの状態になっている。
この状態では着座者はほぼ中央位置に着座して、着座者の大腿部はやや前方に適宜空間をもって設けられる補助シート１４に保持される状態となる。
【００２８】
次にこの状態で図４に示すように着座者が前傾姿勢をする場合についての動作を説明すると、着座者はやや前傾で臀部を持ち上げた状態で、前記回動軸５に設けられるハンドル８を回すと、前記したように該主シート９は後方部を持ち上げて、着座者に対して前傾姿勢となる。
【００２９】
この時、着座者は主シート９の前方位置へ若干移動するが前記補助シート１４の補助シート翼部１４ａに凹み部が設けられているため着座者の大腿部を包み込むように保持されるようになる。
前記した実施例は主シート９および補助シート翼部１４ａの大きさは限定するものではなく着座者が着座できる範囲のものでよく、主シート９と補助シート１４との間の空間部の間隔寸法は適宜変更し得るものである。
【符号の説明】
【００３０】
１              脚
２              昇降用操作リング
３              昇降杆
３ａ            ラム
３ｂ            シリンダー
４              基板
４ａ            支持板
４ｂ            突起片
４ｃ            補助シート取付部
５              回動軸
５ａ            雄ネジ部
５ｂ、５ｃ      回転軸孔
６              ブラケット
６ａ            雌ネジ部
６ｂ、６ｃ      回転軸孔
７ａ、７ｂ      回転軸ピン
８              ハンドル
９              主シート
１０            主シート取付板
１０ａ、１０ｂ  支板
１１            ブラケット
１１ａ、１１ｂ  回転軸孔
１２ａ、１２ｂ  回転軸ピン
１３            主シート回転支軸
１４            補助シート
１４ａ          補助シート翼部
１４ｂ          補助シート前部
１５            係止用ネジ
【図１】
0003165631.tif 000003
【図２】
0003165631.tif 000004
【図３】
0003165631.tif 000005
【図４】
0003165631.tif 000006
【図５】
0003165631.tif 000007
【図６】
0003165631.tif 000008